【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
通信システムにおける送信装置でデータを送信する方法であって、
少なくとも一つの論理チャンネルと少なくとも一つの無線周波数（ＲＦ）チャンネルとの間のマッピング関係を指示する複数個のタイプのうちで一つのタイプを決定するステップと、
前記決定されたタイプに基づいて前記少なくとも一つのＲＦチャンネル上の少なくとも一つの物理フレームに前記少なくとも一つの論理チャンネル上の少なくとも一つの論理フレームをマッピングするステップと、
前記マッピングされた少なくとも一つの論理フレームと少なくとも一つの物理フレームを使用して前記データを送信するステップとを含むことを特徴とする方法。
【請求項２】
前記少なくとも一つの物理フレームは、少なくとも一つの論理チャンネルにマッピングされ、前記少なくとも一つの論理チャンネルの各々は、複数個の論理フレームのうちの選択された論理フレームを含み、前記複数個の論理フレームの各々は、少なくとも一つのサービスのデータストリームに基づいて生成された複数個の物理階層パイプ（ＰＬＰ)のうちの選択されたＰＬＰ及び前記選択されたＰＬＰと関連するシグナリング情報を含むことを特徴とする請求項１に記載の方法。
【請求項３】
前記複数個のタイプは、ＲＦチャンネルの数または論理チャンネルに含まれる各論理フレームにマッピングされた物理フレームの数に基づいて分類されることを特徴とする請求項１に記載の方法。
【請求項４】
前記決定されたタイプが第１のタイプであると、前記第１のタイプの論理チャンネルに含まれた論理フレームの各々が単一ＲＦチャンネル上の物理フレームのシーケンスにマッピングされ、前記論理フレームの各々に含まれるセルは前記単一ＲＦチャンネル上の単一物理フレームで搬送されることを特徴とする請求項１に記載の方法。
【請求項５】
前記決定されたタイプが第２のタイプであると、前記第２のタイプの論理チャンネルに含まれた論理フレームの各々が単一ＲＦチャンネル上の複数個の物理フレームにマッピングされ、前記複数個の物理フレームの各々は同一の長さを有し、
前記決定されたタイプが第３のタイプであると、前記第３のタイプの論理チャンネルに含まれた各論理フレームは複数個のＲＦチャンネル上の複数個の物理フレームにマッピングされ、
前記決定されたタイプが第４のタイプであると、前記第４のタイプの論理チャンネルに含まれた論理フレームの各々は、多重ＲＦチャンネルの各々に含まれた各物理フレームにマッピングされることを特徴とする請求項１に記載の方法。
【請求項６】
通信システムにおけるデータを受信する方法であって、
少なくとも一つの論理チャンネルと少なくとも一つの無線周波数（ＲＦ）チャンネル間のマッピング関係を指示する複数のタイプのうち少なくとも一つのタイプに基づいて、前記少なくとも一つの無線周波数（ＲＦ）チャンネル上の少なくとも一つの物理フレームにマッピングされた少なくとも一つの論理チャンネル上の少なくとも一つの論理フレームを通してデータを受信するステップと、
前記データを復号化するステップと、を含むことを特徴とする方法。
【請求項７】
前記少なくとも一つの物理フレームは、少なくとも一つの論理チャンネルにマッピングされ、前記少なくとも一つの論理チャンネルの各々は複数個の論理フレームのうちの選択された論理フレームを含み、前記複数個の論理フレームの各々は、少なくとも一つのサービスのデータストリームに基づいて生成された複数個の物理階層パイプ（ＰＬＰ)のうちの選択されたＰＬＰ及び前記選択されたＰＬＰと関連するシグナリング情報を含むことを特徴とする請求項６に記載の方法。
【請求項８】
複数個のタイプは、ＲＦチャンネルの数または論理チャンネルに含まれる各論理フレームにマッピングされた物理フレームの数に基づいて分類されることを特徴とする請求項６に記載の方法。
【請求項９】
決定されたタイプが第１のタイプであると、前記第１のタイプの論理チャンネルに含まれた論理フレームの各々が単一ＲＦチャンネル上の物理フレームのシーケンスにマッピングされ、前記論理フレームの各々に含まれるセルは前記単一ＲＦチャンネル上の単一物理フレームで搬送されることを特徴とする請求項６に記載の方法。
【請求項１０】
決定されたタイプが第２のタイプであると、前記第２のタイプの論理チャンネルに含まれた論理フレームの各々が単一ＲＦチャンネル上の複数個の物理フレームにマッピングされ、前記複数個の物理フレームの各々は同一の長さを有し、
前記決定されたタイプが第３のタイプであると、前記第３のタイプの論理チャンネルに含まれた各論理フレームは複数個のＲＦチャンネル上の複数個の物理フレームにマッピングされ、
前記決定されたタイプが第４のタイプであると、前記第４のタイプの論理チャンネルに含まれた論理フレームの各々は多重ＲＦチャンネルの各々に含まれた各物理フレームにマッピングされることを特徴とする請求項６に記載の方法。
【請求項１１】
通信システムにおけるデータを送信する装置であって、
少なくとも一つの論理チャンネルと少なくとも一つの無線周波数（ＲＦ）チャンネル間のマッピング関係を指示する複数個のタイプのうちで一つのタイプを決定し、前記決定されたタイプに基づいて前記少なくとも一つのＲＦチャンネル上の少なくとも一つの物理フレームに前記少なくとも一つの論理チャンネル上の少なくとも一つの論理フレームをマッピングする制御器と、
前記マッピングされた少なくとも一つの論理フレームと少なくとも一つの物理フレームを使用して前記データを送信する送信器とを含むことを特徴とする装置。
【請求項１２】
前記少なくとも一つの物理フレームは、少なくとも一つの論理チャンネルにマッピングされ、前記少なくとも一つの論理チャンネルの各々は複数個の論理フレームのうちの選択された論理フレームを含み、前記複数個の論理フレームの各々は少なくとも一つのサービスのデータストリームに基づいて生成された複数個の物理階層パイプ（ＰＬＰ)のうちの選択されたＰＬＰ及び前記選択されたＰＬＰと関連するシグナリング情報を含むことを特徴とする請求項１１に記載の装置。
【請求項１３】
前記複数個のタイプは、ＲＦチャンネルの数または論理チャンネルに含まれる各論理フレームにマッピングされた物理フレームの数に基づいて分類されることを特徴とする請求項１１に記載の装置。
【請求項１４】
前記決定されたタイプが第１のタイプであると、前記第１のタイプの論理チャンネルに含まれた論理フレームの各々が単一ＲＦチャンネル上の物理フレームのシーケンスにマッピングされ、前記論理フレームの各々に含まれるセルは前記単一ＲＦチャンネル上の単一物理フレームで搬送されることを特徴とする請求項１１に記載の装置。
【請求項１５】
前記決定されたタイプが第２のタイプであると、前記第２のタイプの論理チャンネルに含まれた論理フレームの各々が単一ＲＦチャンネル上の複数個の物理フレームにマッピングされ、前記複数個の物理フレームの各々は同一の長さを有し、
前記決定されたタイプが第３のタイプであると、前記第３のタイプの論理チャンネルに含まれた各論理フレームは複数個のＲＦチャンネル上の複数個の物理フレームにマッピングされ、
前記決定されたタイプが第４のタイプであると、前記第４のタイプの論理チャンネルに含まれた論理フレームの各々は多重ＲＦチャンネルの各々に含まれた各物理フレームにマッピングされることを特徴とする請求項１１に記載の装置。
【請求項１６】
通信システムにおけるデータを受信する装置であって、
少なくとも一つの論理チャンネルと少なくとも一つの無線周波数（ＲＦ）チャンネル間のマッピング関係を指示する複数個のタイプのうち少なくとも一つのタイプに基づいて、前記少なくとも一つの無線周波数（ＲＦ）チャンネル上の少なくとも一つの物理フレームにマッピングされた少なくとも一つの論理チャンネル上の少なくとも一つの論理フレームを通してデータを受信する受信器と、
前記データを復号化する復号器と、を含む
ことを特徴とする装置。
【請求項１７】
前記少なくとも一つの物理フレームは少なくとも一つの論理チャンネルにマッピングされ、前記少なくとも一つの論理チャンネルの各々は複数個の論理フレームのうちの選択された論理フレームを含み、前記複数個の論理フレームの各々は少なくとも一つのサービスのデータストリームに基づいて生成された複数個の物理階層パイプ（ＰＬＰ)のうちの選択されたＰＬＰ及び前記選択されたＰＬＰと関連するシグナリング情報を含むことを特徴とする請求項１６に記載の装置。
【請求項１８】
前記複数個のタイプは、ＲＦチャンネルの数または論理チャンネルに含まれる各論理フレームにマッピングされた物理フレームの数に基づいて分類されることを特徴とする請求項１６に記載の装置。
【請求項１９】
決定されたタイプが第１のタイプであると、前記第１のタイプの論理チャンネルに含まれた論理フレームの各々が単一ＲＦチャンネル上の物理フレームのシーケンスにマッピングされ、前記論理フレームの各々に含まれるセルは前記単一ＲＦチャンネル上の単一物理フレームで搬送されることを特徴とする請求項１６に記載の装置。
【請求項２０】
決定されたタイプが第２のタイプであると、前記第２のタイプの論理チャンネルに含まれた論理フレームの各々が単一ＲＦチャンネル上の複数個の物理フレームにマッピングされ、前記複数個の物理フレームの各々は同一の長さを有し、
前記決定されたタイプが第３のタイプであると、前記第３のタイプの論理チャンネルに含まれた各論理フレームは複数個のＲＦチャンネル上の複数個の物理フレームにマッピングされ、
前記決定されたタイプが第４のタイプであると、前記第４のタイプの論理チャンネルに含まれた論理フレームの各々は多重ＲＦチャンネルに含まれた各物理フレームにマッピングされることを特徴とする請求項１６に記載の装置。